(57)【要約】【課題】従来は降雪した雪は、除雪により仮置き場等に運搬されていた為に、置き場の確保または、運搬による作業の遅れなどが生じ、それに伴い経費の増加も余儀なくされていた。これは、その場で雪を融かす方法がないために起きていた現状である。【解決の手段】本発明は、降雪した雪を除雪しながら、その場で融かして排除するために、雪を取り込むバケットの底盤と上盤にヒーターを設け、前記上盤が上下に可動することで、バケット内部に取り込まれた雪に対して、絶えず底盤と上盤が密着することで、短時間に融雪をすることを特徴とする。また、両側盤にもヒーターを設けることで、更に融雪時間が短縮される。【選択図】図２
2015214874.tif 000002
【特許請求の範囲】
【請求項１】
車両の前部に、前方が開口したバケットを昇降自在に支持して設け、前記バケットの底盤及び上盤にヒーターを設け、前記上盤が上下に可動することを特徴とする融雪機。
【請求項２】
前記バケット内の底盤後方部に、窪みを設けたことを特徴とする請求項１または２に記載の融雪機。
【請求項３】
前記バケットの底盤先端部であって底面に、凸部を設けたことを特徴とする請求項１から３のいずれか１項に記載の融雪機。
【発明の詳細な説明】
【技術分野】
【０００１】本発明は降雪した雪を除雪する際、その場で融かしながら進行する融雪機に関するものである。
【背景技術】
【０００２】通常降雪した雪は除雪などにより他の場所に排除するか、その近辺に集積されている。しかし、排除するのには集積場所の確保や、運搬車両が必要となりスムーズに除雪が進まず、手間とコストが掛かるという課題がある。【０００３】この改善策として、融雪剤の散布があるが、塩化カルシウムは使用された後に、路面上に放置され車両の腐食や自然環境上好ましくなく、またコスト的にも割高なために特定の場所での使用となっているのが現状である。【０００４】除雪に関しては例えば、特開２００５−２６５３０２号には、雪を取り込むバケットの後方から火炎を放射し、融雪する融雪装置に関する技術が記載されているが、火気の使用は他の災害等に繋がる危険性がある。特開２００５−００９０８５号には、オーガハウジング内部に掻き込まれた雪を温風で融雪する技術が記載されているが、温風の熱量不足が懸念される。
【先行技術文献】
【特許文献】
【０００５】
【特許文献１】特開２００５−２６５３０２号（明細書０００６、図４）
【特許文献２】特開２００５−００９０８５号（明細書０００８、図２）
【発明の概要】
【発明が解決しようとする課題】
【０００６】解決しようとする課題は、降雪した雪を道路脇への集積や仮置き場などに運搬させることなく除雪ができるように、除雪と同時に雪を融かすことのできる融雪機を提供することにある。
【課題を解決するための手段】
【０００７】本発明は、車両の前部に前方が開口したバケットを昇降自在に支持して設け、降雪した雪を除雪しながら、その場で融かして排除するために、雪を取り込むバケットの底盤と上盤にヒーターを設け、前記上盤が上下に可動することで、バケット内部に取り込まれた雪に対して、絶えず底盤と上盤を密着させることで、短時間に融雪をすることを特徴とする。また、両側盤にもヒーターを設けることで、更に融雪時間が短縮される。【０００８】バケット内の底盤の後方部に窪みを設け、溶けた水が一時的に溜まるようにすることで、取り込まれた雪を融かす時間が短縮される。【０００９】バケットの後部に排水口を設けることで、融けた雪が水となり、バケットに取り込まれた雪により押し出されることで排水され、排水された水が路上に残った雪を融かすことにもつながるものである。
【発明の効果】
【００１０】  本発明の融雪機械は、降雪状態の雪をその場で融かして排除できるため、従来のような仮置き場やそこまで運搬するための経費と時間の節約に大きく貢献ができる。【００１１】  融雪剤を用いないため、環境保全においても好ましい。
【図面の簡単な説明】
【００１２】
【図１】本融雪機の一例の平面図
【図２】本融雪機の一例の側面図
【図３】バケットの一例の側面図
【図４】ヒーターの一例の配置図
【図５】ヒーターを配した融雪盤の一例の断面図
【発明を実施するための形態】
【実施例１】
【００１３】本発明の融雪機械について、図面を引用して説明する。【００１４】車両の前部に、底盤２、側面盤３、上盤４の融雪盤で構成され、前方が開口したバケットを昇降自在に支持して設け、前記バケットの底盤２及び上盤４にヒーター１２を設け、前記上盤４が上下に可動することで、バケット内に取り込まれた雪が、絶えず上盤４と底盤２の間に挟み込まれ、密着された状態が保持されることにより、融雪が行われることを特徴としている。また、バケットの両側面盤３にもヒーター１２を設けてもよい。図３はバケットの一例の側面図、図４はヒーターの一例の配置図である。【００１５】上盤４はバケットの開口部を広げるため、先端部に向けて広がるよう曲線状に形成することで、降雪量に応じ雪をバケット内に取り込み易くしている。バケット内の底盤２には、前方又は後方に向けて勾配を設けることで、雪が融けた水を排水し易くなる。【００１６】上盤４は、バケットの後部に支点を設け、前記支点を軸に上下に可動できる構造とする。上盤の天面に上盤の可動をするための駆動機構を設けてもよい。また、図示しないが前記支点の位置を上下に移動できるように、スライド機構を設けてもよい。上盤の可動をするための駆動機構や支点の位置を上下に移動するスライド機構には、油圧などが用いられる。【００１７】上盤４は、バケットの後部の支点を軸に上下に可動できることで、上盤４の自重によりバケット内部に取り込んだ雪に密着することができ、前記支点の位置を上下に移動できるスライド機構により、雪の量に応じて上盤４が雪に密着するように高さを調節することが可能となる。【００１８】バケット内の底盤３の後方部には、窪み８が設けられ、溶けた水が一時的に滞留し、融雪の効果を上げる構造としている。
また、バケットの底盤の先端部であって底面には凸部９を設け、マンホール等の突起物により、底盤３の先端が突起物に衝突することを防止するために、底盤底面と地面との間にスペースを確保することで、安全に作業ができるようにしている。凸部９の厚さは、雪を取り込む際の高さ設定や、マンホール等の路面からの高さ等を考慮して適宜選択すればよい。【００１９】図示しないが、バケットの後部には排水口を設け、融けた雪が水となり、バケットに取り込まれた雪により押し出されることで排水口から排水される。更に、排水された水が路上に残った雪を融かすことにもつながる。排水口は複数設けてもよく、大きさは排水効果を考慮して適宜選択し、形状を網目状としてもよい。バケットの底盤に配するヒーターを、底盤の後方部に密に配置し熱量を大きくすることで、融雪を促進させ排水口からの排水効率を向上し、排水口の凍結防止にもつながる。【００２０】底盤２、上盤４及び側面盤へのヒーターの配置は、金属製の板の間に挟み込むように設置し、防水構造とすることが望ましい。ヒーターの電源には発電機を用い、発電機を車両等に搭載する。図５はヒーターを配した融雪盤の一例の断面図である。【００２１】本融雪機は自走式であり、車両の走行にはタイヤ又はキャタピラを用いることができる。図１は本融雪機の一例の平面図、図２は本融雪機の一例の側面図である。
【産業上の利用可能性】
【００２２】本発明の融雪機械は、工業生産が可能であり、降雪時の除雪作業にも利用可能である。
【符号の説明】
【００２３】１  融雪機                      ７  タイヤ
２  底盤                        ８  窪み
３  側面盤                      ９  凸部
４  上盤                      １０  勾配
５  雪                        １１  地面
６  発電機                    １２  ヒーター
【図１】
2015214874.tif 000003
【図２】
2015214874.tif 000004
【図３】
2015214874.tif 000005
【図４】
2015214874.tif 000006
【図５】
2015214874.tif 000007
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
車両の前部に、前方が開口したバケットを昇降自在に支持して設け、前記バケットの底盤及び上盤にヒーターを設けた融雪機において、前記上盤が上下に可動することで、上盤の自重により、バケット内部に取り込んだ雪に密着することを特徴とする融雪機。
【請求項２】
前記上盤の支点の位置を上下に移動できるように、スライド機構を設けることで、雪の量に応じて上盤が雪に密着するよう、高さ調節が可能であることを特徴とする請求項１に記載の融雪機。
【請求項３】
前記バケットの底盤先端部であって底面に、凸部を設けることで、バケット先端が突起物への衝突を防止することを特徴とする請求項１から２のいずれか１項に記載の融雪機。